(57)【要約】【課題】画像の投影及び音声の出力が可能な投影装置であって、使用する環境にあった音声の音量設定が適切に自動で行える投影装置を提供する。【解決手段】画像信号と音声信号とを入力し、入力される画像信号に応じた画像を形成してスクリーン２０１に投影するとともに、入力される音声信号に応じた音声を出力するプロジェクタ１００において、スクリーン２０１とプロジェクタ１００との間の距離の値を取得する測距センサ１１４を備えた。そして、測距センサ１１４で取得した距離の値に応じて出力する音声の音量レベルの設定を行う制御部１０４及び音声処理部１１２から構成される音量設定手段も備えた。【選択図】図１
2014160133.tif 000002
【特許請求の範囲】
【請求項１】
投影対象に投影する画像の画像信号を入力する画像入力手段と、音声出力手段から出力する音声の音声信号を入力する音声入力手段とを有した投影装置において、
前記投影対象と当該投影装置との間の距離の値を取得する距離取得手段と、
該距離取得手段で取得した距離の値に応じて前記音声出力手段から出力する音声の音量設定を行う音量設定手段とを備えたことを特徴とする投影装置。
【請求項２】
請求項１に記載の投影装置において、
前記音量設定手段は、当該投影装置の電源投入にともなう起動時に、出力する音声の音量設定を行うことを特徴とする投影装置。
【請求項３】
請求項１又は２に記載の投影装置において、
前記距離取得手段は、赤外線を用いて距離を取得する赤外線方式、又はカメラモジュールを用いて距離を取得するカメラ方式であることを特徴とする投影装置。
【請求項４】
投影対象に投影する画像の画像信号を入力する画像入力手段と、音声出力手段から出力する音声の音声信号を入力する音声入力手段とを備え、前記音声出力手段から出力する音声の音量を設定する投影装置の音量設定方法において、
前記投影装置は、前記投影対象と前記投影装置との間の距離の値を取得する距離取得手段と、前記音声出力手段から出力する音声の音量を設定する音量設定手段とを備え、
前記距離取得手段で取得した距離の値に応じて、前記音量設定手段で前記音声出力手段から出力する音声の音量設定を行うことを特徴とする投影装置の音量設定方法。
【請求項５】
請求項４に記載の投影装置の音量設定方法において、
前記音量設定手段は、前記投影装置の電源投入にともなう起動時に、出力する音声の音量設定を行うことを特徴とする投影装置の音量設定方法。
【請求項６】
請求項４又は５に記載の投影装置の音量設定方法において、
前記距離取得手段は、赤外線を用いて距離を取得する赤外線方式、又はカメラモジュールを用いて距離を取得するカメラ方式であることを特徴とする投影装置の音量設定方法。
【請求項７】
投影対象に投影する画像の画像信号を入力する画像入力手段と、音声出力手段から出力する音声の音声信号を入力する音声入力手段とを有した投影装置を備えた投影システムにおいて、
前記投影対象と前記投影装置との間の距離の値を取得する距離取得手段と、
該距離取得手段で得た距離の値に応じて前記音声出力手段から出力する音声の音量設定を行う音量設定手段とを備えたことを特徴とする投影システム。
【請求項８】
請求項７に記載の投影システムにおいて、
前記音量設定手段は、前記投影装置の電源投入にともなう起動時に、前記投影装置で出力する音声の音量設定を行うことを特徴とする投影システム。
【請求項９】
請求項７又は８に記載の投影システムにおいて、
前記距離取得手段は、赤外線を用いて距離を取得する赤外線方式、又はカメラモジュールを用いて距離を取得するカメラ方式であることを特徴とする投影システム。
【発明の詳細な説明】
【技術分野】
【０００１】
本発明は、投影対象に投影する画像や映像（以下、画像という）の信号（以下、画像信号という）を入力する画像入力手段と、音声出力手段から出力する音声の音声信号を入力する音声入力手段とを有した投影装置に関するものである。そして、この投影装置の音量設定方法、及びこの投影装置を備えた投影システムに関するものである。
【背景技術】
【０００２】
画像入力手段で入力した画像信号に応じた画像を形成して、スクリーン等の投影対象に投影するプロジェクタ等の投影装置は、従来から大画面の画像を投影することができ、映画鑑賞、プレゼンテーション、教育用等に用いられている。そして、映画鑑賞、プレゼンテーション、教育用等の用途として、音声も投影装置から出力させたいとの要望が多く、音声を出力するスピーカー等の音声出力手段を内蔵している投影装置が増えている。
【０００３】
投影装置の輝度が明るくなるにつれ、広い会議室などでも使用される機会が増え、内蔵しているスピーカーから出力する音声の音量も大きくすることが望まれている。
音声の音量設定に関しては、メニュー操作等で音量設定値を選んで、設定した音量の音声を、起動直後からスピーカーから出力する等の構成が従来から知られている。
【０００４】
例えば、特許文献１には、画像投影手段を構成するフォーカスレンズやズームレンズの位置に応じて、スピーカーから出力する音声の音量設定を行う投影装置が記載されている。
【発明の概要】
【発明が解決しようとする課題】
【０００５】
しかし、従来の投影装置では、使用する環境にあった音声の音量設定が自動では行われないため、次のような問題があった。
一度、広い会議室等での使用で音量設定を大音量にして、そのまま音量設定を変更せずに投影装置の使用をやめた場合、次回、狭い会議室等で使用する場合に音量設定を変更せずに、大音量の音量設定のままスピーカーから音声出力が行われてしまう。その結果、聴衆に不快感を与える問題がある。また、大音量で音声出力を行ってしまった後に、ユーザが音量を小さく調整しなくてはならないといった手間が発生する問題もあった。
【０００６】
逆に、狭い会議室等での使用で音量設定を小音量にして、そのまま設定を変更せずに投影装置の使用をやめた場合、次回、広い会議室等で使用する場合に音量設定を変更せずに、小音量に設定のままスピーカーから音声出力が行われてしまう。その結果、出力される音声を聴衆が聞き取れないとった問題がある。また、小音量で音声出力を行ってしまった後に、ユーザが音量を大きく調整しなくてはならないといった手間が発生する問題もあった。
【０００７】
また、特許文献１に記載された投影装置でも、フォーカスレンズやズームレンズの位置調整を音声出力するまでに適切に行われていないと、使用する環境にあった音声の音量設定を適切に行えず、大音量で音声出力が行われたり、小音量で音声出力が行われたりする。その結果、聴衆に不快感を与えたり、出力される音声を聴衆が聞き取れなかったり、ユーザが音量を適切に調整し直す手間が発生するといった問題がある。
【０００８】
本発明は以上の問題点に鑑みなされたものであり、その目的は、画像の投影及び音声出力手段からの音声の出力が可能な投影装置であって、使用する環境にあった音声の音量設定が適切に自動で行える投影装置を提供することである。
【課題を解決するための手段】
【０００９】
上記目的を達成するために、請求項１に記載の発明は、投影対象に投影する画像の画像信号を入力する画像入力手段と、音声出力手段から出力する音声の音声信号を入力する音声入力手段とを有した投影装置において、前記投影対象と当該投影装置との間の距離の値を取得する距離取得手段と、該距離取得手段で取得した距離の値に応じて前記音声出力手段から出力する音声の音量設定を行う音量設定手段とを備えたことを特徴とするものである。
【００１０】
本発明は、距離取得手段と音量設定手段とを備えているので、距離取得手段で取得した投影対象と投影装置との間の距離の値に応じて、音量設定手段で、スピーカー等の音声出力手段により出力する音声の音量設定を自動で行える。
したがって、使用する環境が変化した場合に音量設定を変更しなかったり、特許文献１の投影装置のようにフォーカスレンズやズームレンズの位置調整を音声出力するまでに適切に行わなかったりしても、使用する環境にあった音声の音量設定が適切に自動で行える。
【発明の効果】
【００１１】
本発明は、画像の投影及び音声出力手段からの音声の出力が可能な投影装置であって、使用する環境にあった音声の音量設定が適切に自動で行える投影装置を提供できる。
【図面の簡単な説明】
【００１２】
【図１】一実施形態に係るプロジェクタの概略構成図。
【図２】プロジェクタとスクリーンまでの距離を測定する方法についての説明図。
【図３】プロジェクタの電源がＯＮされてからスピーカーから音が出力されるまでの流れの例のフロー図。
【図４】音量設定値を決めるテーブルについて説明図。
【発明を実施するための形態】
【００１３】
以下、本発明を、画像の投影及び音声の出力が可能な投影装置であるプロジェクタ（以下、プロジェクタ１００という）に適用した一実施形態について、図を用いて説明する。
図１は、本実施形態に係るプロジェクタ１００の概略構成図、図２は、プロジェクタ１００とスクリーン２０１までの距離を測定する方法についての説明図である。図３は、プロジェクタ１００の電源がＯＮされてからスピーカーから音が出力されるまでの流れの例のフロー図である。図４は、音量設定値を決めるテーブルについて説明図であり、（ａ）が投影サイズを導く投影サイズテーブル、（ｂ）が、音量設定値を導く音量設定テーブルである。
【００１４】
図１に示すように、プロジェクタ１００は、画像入力手段である入出力端子１０１の画像入力端子に入力された画像や映像（以下、画像という）の信号（以下、画像信号という）と音声信号に応じて、投影対象であるスクリーン２０１上に画像を拡大投影する。入力される画像信号は、入出力端子１０１の画像入力端子に接続された、パソコンやＤＶＤ再生装置等の外部機器から入力されたＰＣ画像やＤＶＤ映像等の画像信号である。また、音声入力手段である入出力端子１０１の音声入力端子に接続された、画像入力端子に接続されたのと同じ外部機器や、音声再生装置等の他の外部機器から入力された音声信号を装置本体に備えた音声出力手段であるスピーカー１１３から出力する。
【００１５】
このプロジェクタ１００には、画像信号処理部１０２、スケーラ１０３、制御部（ＣＰＵ）１０４、メモリ１０５、操作部１０６、ドライブ回路１０７、表示素子１０８、光源１０９、及び投影光学系１１０を備えている。また、入力された音声を処理する音声処理部１１２、及びスピーカー１１３も備え、外部に音声を出力できる。
そして、詳しくは後述する投影装置であるプロジェクタ１００と投影対象であるスクリーン２０１との間の距離の値を取得する距離取得手段である測距センサ１１４も備えている。
【００１６】
画像信号処理部１０２は、入出力端子１０１の画像入力端子から入力される外部機器からの画像信号を受け取り、スケーラ１０３が受け取ることができる画像デジタル信号に変換する。
スケーラ１０３には、画像信号処理部１０２から出力される画像デジタル信号が入力され、画像デジタル信号の内容から縦と横の画素数を判定する。そして、プロジェクタ１００の出力画素数のアスペクト比に対して入力された画像が最適表示になるように自動でスケーリングを行なう。
【００１７】
制御部１０４は、マイクロコントローラ（マイコン）で構成され、ＣＰＵ（中央演算処理ユニット）、ＲＯＭ（リードオンリーメモリ）、ＲＡＭ（ランダムアクセスメモリ）等の演算回路および記憶回路を備えている。そして、制御部１０４は、プロジェクタ１００の全般的な制御を行うと共に、各種の設定及び比較を行うための制御を行う。
音声処理部１１２は、入出力端子１０１の音声入力端子から入力した音声信号を、操作部１０６で設定された設定値等に基づいた制御部１０４の制御により音質設定等を施すとともに音量を調整（音量設定を行い）し、スピーカー１１３を駆動して音声を出力する。
ここで、測距センサ１１４で取得したプロジェクタ１００とスクリーン２０１との間の距離の値に応じてスピーカー１１３から出力する音声の音量設定を行う音量設定手段を、主に、制御部１０４及び音声処理部１１２で構成している。また、後述する投影サイズテーブルや音量設定テーブルに規定された各値は、制御部１０４のＲＯＭ内に格納されている。
【００１８】
メモリ１０５は、制御部１０４で設定した内容を記憶する不揮発性メモリなどで構成され、プロジェクタ１００の電源オフ後も前回の設定内容（言語設定など）が保存される。
操作部１０６は、プロジェクタ１００の装置本体の操作パネル上のキー入力部、又はリモコン送信機のキー入力部などで構成されており、例えば、プロジェクタ１００の各種設定や選択を行うためのメニュー画面を表示させるメニューキーなどを備えている。また、スクリーン２０１との測距を行う距離取得手段である測距センサ１１４とも接続されており、測距センサ１１４から算出されたデータを基にスクリーン２０１までの距離を算出する。
【００１９】
ドライブ回路１０７は、スケーラ１０３からのスケーリングされた画像デジタル信号、及びその同期信号を入力し、表示素子１０８を駆動する。
表示素子１０８は、液晶パネルやＤＭＤ（Ｄｉｇｉｔａｌ  Ｍｉｒｒｏｒ  Ｄｅｖｉｃｅ）等の表示パネルで構成され、スケーリングされた画像を形成（表示）し、形成した画像によって光源１０９からの光を画像光に変調する。
投影光学系１１０は、投射レンズを含み、表示素子１０８からの画像光をスクリーン２０１上に拡大投影する。
【００２０】
次に、測距センサ１１４で、プロジェクタ１００からスクリーン２０１までの距離Ｌの値を取得する（測距する）方法について説明する。
プロジェクタ１００に有した投影光学系１１０の投影レンズの近傍に測距センサ１１４が配置されている。測距センサ１１４としては、次の２つの構成の少なくともいづれかを適用できる。１対の赤外線ＬＥＤと赤外線フォトトランジスタとで構成するものと、カメラモジュールで構成するものである。
【００２１】
赤外線ＬＥＤと赤外線フォトトランジスタで構成の場合、赤外線ＬＥＤから赤外線が放射され、スクリーンで反射された反射光を赤外線フォトトランジスタで受光する。この赤外線の放射と反射光の受光との時間差から赤外線が反射された位置までの距離Ｌを算出して、プロジェクタ１００からスクリーン２０１までの距離Ｌの値を取得する可能となる。
カメラモジュールを用いた場合、既に周知されている位相差検出式方式などを使用することで距離Ｌを算出して、プロジェクタ１００からスクリーン２０１までの距離Ｌの値を取得することが可能となる。
そして、赤外線方式やカメラ方式は、いずれも汎用性が高いセンサであるため、プロジェクタ１００から出力する音声の音量設定を低コストな汎用モジュール等を用いて自動化することができる。
【００２２】
次に、制御部１０４及び音声処理部１１２から構成される音量設定手段による、プロジェクタ１００の電源がＯＮ（オン）されてからスピーカー１１３から音が出力されるまでの流れの例を図３のフロー図を用いて説明する。
まず、プロジェクタ１００の電源をＯＮする（Ｓ０１）。すると、プロジェクタ１００の光源１０９を点灯させる処理実行、及び測距センサ１１４でスクリーン２０１とプロジェクタ１００との間の距離の値の取得（測距）を開始する（Ｓ０２）。これらを開始した後、入力した画像信号をスクリーン２０１上に拡大投影する投影処理の実行、及びスピーカー１１３から音声を出力しないよう（音量設定をミュート）に設定する（Ｓ０３）。
【００２３】
その後、測距センサ１１４でスクリーン２０１とプロジェクタ１００との間の距離の値を取得できた測距完了か否かの１回目の確認を行う（Ｓ０４）。この１回目の確認で測距完了を確認した場合（Ｓ０４のＹｅｓ）、取得した距離と投影サイズとを対応付けた投影サイズテーブルを用いて、取得した距離の値から音量を決定する際に使用する投影サイズを判定する（Ｓ０５）。
【００２４】
そして、投影サイズを判定した（Ｓ０５）後、判定した投影サイズと出力する音声の音量設定とを対応付けた音量設定テーブルを用いて、判定した投影サイズから、音量設定値を決定し、スピーカー１１３から出力する音声の音量設定を行う（Ｓ０６）。その後、スピーカー１１３から音声を出力しないようにしていた設定（スピーカー１１３のミュート設定）を解除（Ｓ０７）して、使用する環境にあった音声の音量設定で音声出力されることになる（Ｓ０８）。
【００２５】
上記した測距完了か否かの１回目の確認（Ｓ０４）で、測距が完了していない（以下、測距完了否という）と確認した場合（Ｓ０４のＮｏ）、測距センサ１１４で再測距する再測距開始に移行し（Ｓ０９）、再度、測距完了か否かの２回目の確認を行う（Ｓ１０）。
この測距完了か否かの２回目の確認で、測距完了と確認した場合（Ｓ１０のＹｅｓ）、取得した距離の値から音量を決定する際に使用する投影サイズを判定するステップ（Ｓ０５）に移行する。そして、上記したスピーカー１１３から出力する音声の音量設定（Ｓ０６）から、使用する環境にあった音声の音量設定で音声出力（Ｓ０８）までの各ステップを実行する。
【００２６】
また、測距完了か否かの２回目の確認で、測距完了否と確認した場合（Ｓ１０のＮｏ）、測距した回数カウンタ（測距回数）をインクリメントし（回数カウンタ数に１を加え）、回数カウンタを２とする（Ｓ１１）。その後、回数カウンタが３よりも大きいか否かの確認を行い（Ｓ１２）、３よりも大きくない（以下、回数カウンタ否という）と確認して（Ｓ１２のＮｏ）、再測距開始に移行し（Ｓ０９）、測距完了か否かの３回目の確認を行う（Ｓ１０）。
この測距完了か否かの３回目の確認で、測距完了と確認した場合（Ｓ１０のＹｅｓ）、取得した距離の値から音量を決定する際に使用する投影サイズを判定するステップ（Ｓ０５）に移行する。そして、上記したスピーカー１１３から出力する音声の音量設定（Ｓ０６）から、使用する環境にあった音声の音量設定で音声出力される（Ｓ０８）までの各ステップを実行する。
【００２７】
上記した再測距開始（Ｓ０９）、測距完了か否かの確認（Ｓ１０）、この確認が否であった場合（Ｓ１０のＮｏ）の回数カウンタのインクリメント、及び回数カウンタが３よりも大きいか否かの確認（Ｓ１２）は、回数カウンタが３よりも大きくなるまで繰り返す。
一方、測距完了か否かの確認（Ｓ１０）で、測距完了と確認した場合（Ｓ１０のＹｅｓ）、取得した距離の値から音量を決定する際に使用する投影サイズを判定するステップ（Ｓ０５）に移行する。そして、上記したスピーカー１１３から出力する音声の音量設定（Ｓ０６）から、使用する環境にあった音声の音量設定で音声出力される（Ｓ０８）までの各ステップを実行する。
【００２８】
また、回数カウンタが３よりも大きいか否かの確認（Ｓ１２）で、回数カウンタが３よりも大きい場合（Ｓ１２のＹｅｓ）には、音量を決定する際に使用する投影サイズを４０［ｉｎｃｈ］と判定する（Ｓ１３）。
そして、音量設定テーブルを用いて、判定した投影サイズである４０［ｉｎｃｈ］から、音量設定値を決定し、スピーカー１１３から出力する音声の音量設定を行う（Ｓ０６）。その後、スピーカー１１３から音声を出力しないようにしていた設定（スピーカー１１３のミュート設定）を解除（Ｓ０７）して、使用する環境にあった音声の音量設定で音声出力されることになる（Ｓ０８）。
【００２９】
次に、音量設定値を決めるために用いる投影サイズテーブル及び音量設定テーブルの例について説明する。
図４（ａ）に示すような、測距センサ１１４で取得したスクリーン２０１とプロジェクタ１００との間の距離の値の範囲と、投影サイズとを関連付けた投影サイズテーブルを、次のようにしてあらかじめ作成する。使用するプロジェクタ１００における利用頻度の高いズーム設定（焦点距離の設定）での数値となっており、使用するプロジェクタ１００の投影距離と投影サイズ等の仕様に合わせて任意に規定する。
ここで、図４（ａ）に示した例では、距離の値の範囲を、推奨する最短投影距離である０．８［ｍ］から推奨する最大投影距離である３．３［ｍ］までを、８つの範囲（領域）に分けている。そして、８つの範囲にそれぞれ対応する投影サイズ［ｉｎｃｈ］を、３０〜１００［ｉｎｃｈ］の範囲で１０［ｉｎｃｈ］きざみで８段階で関連付けている。
【００３０】
図４（ｂ）に示すような、投影サイズテーブルを用いて判定した投影サイズと、使用する環境に合わせた音声の音量設定とを関連付けた音量設定テーブルは、次のようにしてあらかじめ作成する。プロジェクタ１００の一般的な利用形態から、プロジェクタ１００を使用する部屋（会議室等）の広さやプロジェクタ１００から聴衆までの距離等の環境に応じた、投影サイズと、スピーカー１１３の出力可能な音量設定値である音量レベルから任意に規定する。
ここで、図４（ｂ）に示した例では、図４（ａ）に示すように８段階で規定した投影サイズ［ｉｎｃｈ］に、スピーカー１１３で出力可能な音量設定である０〜４０の音量レベルの内、５から４０の範囲を、５きざみでそれぞれ関連付けている。ここで、音量レベルが０である設定は、スピーカー１１３から音声を出力しない、すなわちミュート設定のことである。
【００３１】
そして、測距センサ１１４で取得した距離の値から投影サイズテーブルを用いて投影サイズを判定し、この判定した投影サイズから音量設定テーブルを用いて、使用する環境に合わせた音声の音量設定を適切に自動で行う。
【００３２】
上記したように、本実施形態のプロジェクタ１００は、距離取得手段である測距センサ１１４と制御部１０４及び音声処理部１１２から構成される音量設定手段とを備えている。このように測距センサ１１４と音量設定手段とを備えているので、測距センサ１１４で取得したスクリーン２０１と投影装置との間の距離の値［ｍ］に応じて、音量設定手段で音声出力手段であるスピーカー１１３により出力する音声の音量設定を自動で行える。
したがって、使用する環境が変化した場合に音量設定を変更しなかったり、特許文献１の投影装置のようにフォーカスレンズやズームレンズの位置調整を音声出力するまでに適切に行わなかったりしても、使用する環境にあった音声の音量設定が適切に自動で行える。
よって、画像の投影及びスピーカー１１３からの音声の出力が可能な投影装置であって、使用する環境にあった音声の音量設定が適切に自動で行えるプロジェクタ１００を提供できる。
また、図３のフロー図を用いて説明したようにプロジェクタ１００の起動時に音量設定を行うことで、使用する環境が変化する場合に、新たに使用する環境にあった音声の音量設定が確実に自動で行える。
【００３３】
また、上記したように構成することで、画像の投影及びスピーカー１１３からの音声の出力が可能な投影装置の音量設定方法であって、使用する環境にあった音声の音量設定が好適に自動で行えるプロジェクタ１００の音量設定方法を提供できる。
また、上記したように構成したプロジェクタ１００を備えることで、画像の投影及びスピーカー１１３からの音声の出力が可能な投影システムであって、使用する環境にあった音声の音量設定が適切に自動で行える投影システムを提供できる。
【００３４】
また、上記した本実施形態では、投影装置であるプロジェクタ１００の装置本体に音声出力手段であるスピーカー１１３を設けた例について説明したが、本発明はこのような構成に限定されるものではない。例えば、有線で接続したスピーカー１１３をプロジェクタ１００の装置本体とは別体に設けたり、プロジェクタ１００の装置本体に対して着脱可能に設けたりした構成にも適用可能である。また、音量調整手段、及び音声信号と音量設定信号の無線通信手段を有した外部スピーカーに、プロジェクタ１００に備えた制御部１０４及び音声処理部１１２などから構成される音量設定手段から、音声信号と音量設定信号を送信する構成にも適用可能である。
【００３５】
以上に説明したものは一例であり、本発明は、次の態様毎に特有の効果を奏する。
（態様Ａ）
スクリーン２０１などの投影対象に投影する画像や映像の信号などの画像信号を入力する入出力端子１０１の画像入力端子などの画像入力手段と、スピーカー１１３などの音声出力手段から出力する音声の音声信号を入力する入出力端子１０１の音声入力端子などの音声入力手段とを有したプロジェクタ１００などの投影装置において、前記投影対象と当該投影装置との間の距離の値を取得する測距センサ１１４などの距離取得手段と、該距離取得手段で取得した距離の値に応じて前記音声出力手段から出力する音声の音量設定を行う制御部１０４及び音声処理部１１２などから構成される音量設定手段とを備えたことを特徴とするものである。
これによれば、上記実施形態で説明したように、画像の投影及び音声出力手段からの音声の出力が可能な投影装置であって、使用する環境にあった音声の音量設定が適切に自動で行える投影装置を提供できる。
【００３６】
（態様Ｂ）
（態様Ａ）において、制御部１０４及び音声処理部１１２などから構成される前記音量設定手段は、プロジェクタ１００などの当該投影装置の電源ＯＮなどの電源投入にともなう起動時に、出力する音声の音量レベルなどの音量設定を行うことを特徴とするものである。
これによれば、上記実施形態で説明したように、使用する環境が変化する場合に、新たに使用する環境にあった音声の音量設定が確実に自動で行える。
【００３７】
（態様Ｃ）
（態様Ａ）又は（態様Ｂ）において、制御部１０４及び音声処理部１１２などから構成される前記距離取得手段は、赤外線を用いて距離を取得する赤外線ＬＥＤと赤外線フォトトランジスタなどの構成される赤外線方式、又はカメラモジュールを用いて距離を取得する位相差検出式方式などを適用したカメラ方式であることを特徴とするものである。
これによれば、上記実施形態で説明したように、距離取得手段を汎用性の高い赤外線方式やカメラ方式とすることで、プロジェクタ１００などの投影装置から出力する音声の音量設定を低コストな汎用モジュール等を用いて自動化することができる。
【００３８】
（態様Ｄ）
スクリーン２０１などの投影対象に投影する画像や映像の信号などの画像信号を入力する入出力端子１０１の画像入力端子などの画像入力手段と、スピーカー１１３などの音声出力手段から出力する音声の音声信号を入力する入出力端子１０１の音声入力端子などの音声入力手段とを備え、前記音声出力手段から出力する音声の音量を設定するプロジェクタ１００などの投影装置の音量設定方法において、前記投影装置は、前記投影対象と前記投影装置との間の距離の値を取得する測距センサ１１４などの距離取得手段と、前記音声出力手段から出力する音声の音量を設定する制御部１０４及び音声処理部１１２などから構成される音量設定手段とを備え、前記距離取得手段で取得した距離の値に応じて、前記音量設定手段で前記音声出力手段から出力する音声の音量設定を行うことを特徴とするものである。
これによれば、上記実施形態で説明したように、画像の投影及び音声出力手段からの音声の出力が可能な投影装置の音量設定方法であって、使用する環境にあった音声の音量設定が好適に自動で行える投影装置の音量設定方法を提供できる。
【００３９】
（態様Ｅ）
（態様Ｄ）において、制御部１０４及び音声処理部１１２などから構成される前記音量設定手段は、プロジェクタ１００などの前記投影装置の電源投入にともなう起動時に、出力する音声の音量レベルなどの音量設定を行うことを特徴とするものである。
これによれば、上記実施形態で説明したように、使用する環境が変化する場合に、新たに使用する環境にあった音声の音量設定が確実に自動で行える。
【００４０】
（態様Ｆ）
（態様Ｄ）又は（態様Ｅ）において、制御部１０４及び音声処理部１１２などから構成される前記距離取得手段は、赤外線を用いて距離を取得する赤外線ＬＥＤと赤外線フォトトランジスタなどの構成される赤外線方式、又はカメラモジュールを用いて距離を取得する位相差検出式方式などを適用したカメラ方式であることを特徴とするものである。
これによれば、上記実施形態で説明したように、距離取得手段を汎用性の高い赤外線方式やカメラ方式とすることで、プロジェクタ１００などの投影装置から出力する音声の音量設定を低コストな汎用モジュール等を用いて自動化することができる。
【００４１】
（態様Ｇ）
スクリーン２０１などの投影対象に投影する画像や映像の信号などの画像信号を入力する入出力端子１０１の画像入力端子などの画像入力手段と、スピーカー１１３などの音声出力手段から出力する音声の音声信号を入力する入出力端子１０１の音声入力端子などの音声入力手段とを有したプロジェクタ１００などの投影装置を備えた投影システムにおいて、前記投影対象と前記投影装置との間の距離の値を取得する測距センサ１１４などの距離取得手段と、該距離取得手段で得た距離の値に応じて前記音声出力手段から出力する音声の音量設定を行う制御部１０４及び音声処理部１１２などから構成される音量設定手段とを備えたことを特徴とするものである。
これによれば、上記実施形態で説明したように、画像の投影及び音声出力手段からの音声の出力が可能な投影システムであって、使用する環境にあった音声の音量設定が適切に自動で行える投影システムを提供できる。
【００４２】
（態様Ｈ）
（態様Ｇ）において、制御部１０４及び音声処理部１１２などから構成される前記音量設定手段は、プロジェクタ１００などの前記投影装置の電源ＯＮなどの電源投入にともなう起動時に、前記投影装置で出力する音声の音量レベルなどの音量設定を行うことを特徴とするものである。
これによれば、上記実施形態で説明したように、使用する環境が変化する場合に、新たに使用する環境にあった音声の音量設定が確実に自動で行える。
【００４３】
（態様Ｉ）
（態様Ｇ）又は（態様Ｈ）において、制御部１０４及び音声処理部１１２などから構成される前記距離取得手段は、赤外線を用いて距離を取得する赤外線ＬＥＤと赤外線フォトトランジスタなどの構成される赤外線方式、又はカメラモジュールを用いて距離を取得する位相差検出式方式などを適用したカメラ方式であることを特徴とするものである。
これによれば、上記実施形態で説明したように、距離取得手段を汎用性の高い赤外線方式やカメラ方式とすることで、プロジェクタ１００などの投影装置から出力する音声の音量設定を低コストな汎用モジュール等を用いて自動化することができる。
【符号の説明】
【００４４】
１００    プロジェクタ
１０１    入出力端子
１０２    画像信号処理部
１０３    スケーラ
１０４    制御部
１０５    メモリ
１０６    操作部
１０７    ドライブ回路
１０８    表示素子
１０９    光源
１１０    投影光学系
１１２    音声処理部
１１３    スピーカー
１１４    測距センサ
２０１    スクリーン
【先行技術文献】
【特許文献】
【００４５】
【特許文献１】特開２０１０−１６４８４７号公報
【図１】
2014160133.tif 000003
【図２】
2014160133.tif 000004
【図３】
2014160133.tif 000005
【図４】
2014160133.tif 000006